(57)【特許請求の範囲】
【請求項１】
直方体のブロック状に構成されると共にその上部周縁に環状の周壁部が突設された本体部材のネジ止め部に、取付基板を重合させてネジ締めする際に、ネジおよびドライバービットをネジ締め方向にガイドするためのネジ締め用ガイドプレートであって、
ネジ締め用ガイドプレートは、プレート本体部下面側に突設されると共に前記周壁部内に嵌脱自在に嵌合される平面視矩形の嵌合部と、前記本体部材に、前記嵌合部が前記取付基板と所定間隔を有して対向状に位置決めされる位置決め部を備えると共に、その位置決め状態で、前記取付基板に形成されたネジ挿通孔と対応して、前記ネジおよびドライバービットを前記ネジ締め方向にガイドするガイド孔を備え、ガイド孔のネジ挿入側の端部に端縁方向に漸次径大となるテーパ部が形成されてなることを特徴とするネジ締め用ガイドプレート。
【請求項２】
前記ドライバービットの外周側を囲繞して、非回転状態でドライバーに固定保持されたドライバー筒が備えられ、
前記ガイド孔が、前記ドライバー筒を嵌合案内すべく、ドライバー筒の外径とほぼ同径の内径に形成されてなることを特徴とする請求項１記載のネジ締め用ガイドプレート。
【請求項３】
前記ネジ締め用ガイドプレートが透明樹脂により形成されてなることを特徴とする請求項１または２記載のネジ締め用ガイドプレート。
【発明の詳細な説明】
【０００１】
【発明の属する技術分野】
本発明は、組立工程等において、成形品にＰＣＢ基板をネジ締めする際等に使用されるネジ締め用ガイドプレートに関するものである。
【０００２】
【従来の技術】
従来、図４に示される如く、各種の電子部品１が実装されたＰＣＢ２のＰＣＢ基板３を、樹脂成形品４に、電動ドライバーを利用してネジ締めする組立工程の場合、樹脂成形品４の所定位置にＰＣＢ基板３を重合状に載置する。
【０００３】
次に、電動ドライバーの磁化されたドライバービット６にタッピンネジ７を磁着保持させ、ＰＣＢ基板３に形成された各ネジ挿通孔３ａを利用して挿入し、電動ドライバーを駆動して、タッピンネジ７を樹脂成形品４側にそれぞれネジ締めして、ＰＣＢ基板３を樹脂成形品４側に固定していた。
【０００４】
なお、電動ドライバーは設定したトルクに達すると、自動的にトルクアップし、停止する機構を有している。
【０００５】
【発明が解決しようとする課題】
しかしながら、従来のネジ締め方法によれば、タッピンネジ７をＰＣＢ基板３に接近させて、タッピンネジ７をネジ挿通孔３ａに挿入する際に、図５に示される如く、案内位置がずれて、タッピンネジ７先端部がＰＣＢ基板３の表面側に接触する可能性があり、電子部品１や配線パターンに損傷を与えるおそれがあった。なお、図５における９はボス部で、タッピンネジ７がネジ止めされるネジ孔１０が適宜、形成されている。
【０００６】
また、タッピンネジ７のネジ締め方向も不安定であり、図６に示される如く、タッピンネジ７がネジ孔１０に対して傾斜状にネジ締めされた状態となるおそれもあり、締め付けトルクが安定して得られず、ネジ浮きやネジ切り（いわゆるバカネジ）が発生するおそれもあった。
【０００７】
そこで、本発明の課題は、ネジ締め時における部品の損傷を有効に防止すると共に、安定した締め付け力が得られ、ネジ締め状態の長期信頼性が得られるネジ締め用ガイドプレートを提供することを目的とする。
【０００８】
【課題を解決するための手段】
上記の課題を解決するための技術的手段は、直方体のブロック状に構成されると共にその上部周縁に環状の周壁部が突設された本体部材のネジ止め部に、取付基板を重合させてネジ締めする際に、ネジおよびドライバービットをネジ締め方向にガイドするためのネジ締め用ガイドプレートであって、ネジ締め用ガイドプレートは、プレート本体部下面側に突設されると共に前記周壁部内に嵌脱自在に嵌合される平面視矩形の嵌合部と、前記本体部材に、前記嵌合部が前記取付基板と所定間隔を有して対向状に位置決めされる位置決め部を備えると共に、その位置決め状態で、前記取付基板に形成されたネジ挿通孔と対応して、前記ネジおよびドライバービットを前記ネジ締め方向にガイドするガイド孔を備え、ガイド孔のネジ挿入側の端部に端縁方向に漸次径大となるテーパ部が形成されてなる点にある。
【０００９】
また、前記ドライバービットの外周側を囲繞して、非回転状態でドライバーに固定保持されたドライバー筒が備えられ、前記ガイド孔が、前記ドライバー筒を嵌合案内すべく、ドライバー筒の外径とほぼ同径の内径に形成されてなる構造としてもよい。
【００１０】
さらに、前記ネジ締め用ガイドプレートが透明樹脂により形成されてなる構造としてもよい。
【００１１】
【発明の実施の形態】
以下、本発明の実施形態を図面に基づいて説明すると、図１ないし図３において、２０は本体部材としての樹脂成形品で、直方体のブロック状に構成されており、従来例同様、ネジ締め位置に対応してネジ止め部としてのネジ孔２１が形成されたボス部２２が複数、備えられている。
【００１２】
また、樹脂成形品２０の上部周縁には、ＰＣＢ２４のＰＣＢ基板２５を嵌合案内する環状の周壁部２０ａが突設されている。
【００１３】
前記ＰＣＢ基板２５上には、適宜、電子部品２６が実装されている。また、周壁部２０ａ内に嵌合された際、樹脂成形品２０における各ボス部２２のネジ孔２１に対応したＰＣＢ基板２５の各部分には、タッピンネジ２７挿通用のネジ挿通孔２５ａがそれぞれ形成されている。
【００１４】
３０はネジ締め時に使用されるガイドプレートで、透明樹脂により形成されており、矩形平板状のプレート本体部３０ａと、プレート本体部３０ａ下面側に突設されると共に前記周壁部２０ａ内に嵌脱自在に嵌合される平面視矩形の嵌合部３０ｂとを備えている。
【００１５】
また、嵌合部３０ｂの下向き突出長さＬは、周壁部２０ａの突出高さＭより短く設定されており、嵌合部３０ｂが周壁部２０ａ内に嵌合された際、嵌合部３０ｂの両側方に張り出し状とされている位置決め部としてのプレート本体部３０ａが周壁部２０ａ上端縁に当接して、ＰＣＢ基板２５上面と嵌合部３０ｂ下面との相互間に所定の間隔Ｓが生じるように構成され、この間隔ＳによってＰＣＢ基板２５に実装された各電子部品２６と嵌合部３０ｂ下面との接触が回避されるように構成されている。
【００１６】
さらに、ガイドプレート３０には、嵌合部３０ｂが周壁部２０ａ内に嵌合状とされた状態で、周壁部２０ａ内に嵌合され、各ボス部２２上に重合状に載置されたＰＣＢ基板２５の各ネジ挿通孔２５ａと対応して、タッピンネジ２７およびドライバービット３１をネジ締め方向、本実施形態にあってはガイドプレート３０の厚み方向にガイドするガイド孔３３がそれぞれ形成されている。
【００１７】
前記ドライバービット３１の外周側には、僅かの間隙を有して囲繞する円筒状のドライバー筒３５が備えられており、該ドライバー筒３５は、電動ドライバーの本体側に非回転状態で着脱自在に固定保持されている。
【００１８】
そして、前記各ガイド孔３３は、ドライバー筒３５を嵌合案内すべく、ドライバー筒３５の外径とほぼ同径、もしくはドライバー筒３５の外径より僅かに大きい内径に形成されている。
【００１９】
さらに、各ガイド孔３３のタッピンネジ２７が挿入される側の端部、即ち、上端部には、端縁方向に漸次径大となるテーパ部３３ａがそれぞれ形成されている。
【００２０】
本実施形態は以上のように構成されており、樹脂成形品２０にＰＣＢ基板２５を取付固定する場合には、樹脂成形品２０の周壁部２０ａ内に嵌合させて、ＰＣＢ基板２５を重合状に載置し、その後、ガイドプレート３０の嵌合部３０ｂを周壁部２０ａ内に嵌合させる。
【００２１】
この状態においては、嵌合部３０ｂ下面とＰＣＢ基板２５上面とは所定の間隔Ｓを有して対向状に位置決めされ、各ボス部２２の各ネジ孔２１、ＰＣＢ基板２５の各ネジ挿通孔２５ａ、ガイドプレート３０の各ガイド孔３３のそれぞれの軸心が上下方向にほぼ合致している。
【００２２】
そして、電動ドライバーの磁化されたドライバービット３１下端にタッピンネジ２７を磁着保持させ、図３に示される如く、各ガイド孔３３を利用して挿入し、さらにネジ挿通孔２５ａを通じてネジ孔２１側に案内し、電動ドライバーの駆動により、各ボス部２２のネジ孔２１にタッピンネジ２７がそれぞれネジ締めされ、ＰＣＢ基板２５が樹脂成形品２０に固定される。
【００２３】
以上のように、ドライバービット３１に保持されたタッピンネジ２７をネジ挿通孔２５ａを通じてネジ孔２１側に案内するに際して、ＰＣＢ基板２５の上面側を覆うガイドプレート３０に備えられたガイド孔３３を利用してドライバー筒３５が嵌合案内される方式であり、タッピンネジ２７の挿入端が、ネジ挿通孔２５ａ周辺部におけるＰＣＢ基板２５上に実装された電子部品２６や配線パターンに何ら接触するおそれがなく、電子部品２６やＰＣＢ２４の損傷が有効に防止できる。
【００２４】
また、ドライバー筒３５の嵌合案内に際して、ガイド孔３３の上端部にテーパ部３３ａが形成されているため、ガイド孔３３に対するドライバー筒３５等の嵌合案内が円滑になされる利点もある。
【００２５】
さらに、ガイド孔３３がネジ締め方向に沿って形成されているため、タッピンネジ２７のネジ締め時において、ドライバー筒３５が傾かず、図６に示されるような傾斜状のネジ締めも有効に防止できる。従って、締め付けトルクも安定し、ネジ締め状態の長期信頼性が得られる利点もある。
【００２６】
また、ガイドプレート３０が透明樹脂により形成されているため、ネジ締め時におけるネジ締め状態を容易に確認できる利点もある。
【００２７】
さらに、ドライバービット３１を囲繞して、非回転状態で保持されたドライバー筒３５を備えた構造としているため、電動ドライバーの駆動時において、ガイドプレート３０のガイド孔３３側の摩耗も有効に防止でき、ガイドプレート３０の耐久性向上が図れる。
【００２８】
なお、タッピンネジ２７をドライバービット３１に磁着保持させる構造を示しているが、ドライバー筒３５内のエアを吸引する方式を採用し、エア吸引力を利用してタッピンネジ２７をドライバービット３１側に保持させる構造としてもよく、またエアと磁力との双方によりタッピンネジ２７を保持する構造を採用してもよい。
【００２９】
さらに、タッピンネジ２７のネジ締めに限らず、通常のネジ締めにも同様に利用できる。
【００３０】
【発明の効果】
以上のように、本発明のネジ締め用ガイドプレートによれば、ネジ締め用ガイドプレートは、プレート本体部下面側に突設されると共に本体部材の周壁部内に嵌脱自在に嵌合される平面視矩形の嵌合部と、本体部材に、嵌合部が取付基板と所定間隔を有して対向状に位置決めされる位置決め部を備えると共に、その位置決め状態で、取付基板に形成されたネジ挿通孔と対応して、ネジおよびドライバービットをネジ締め方向にガイドするガイド孔を備え、ガイド孔のネジ挿入側の端部に端縁方向に漸次径大となるテーパ部が形成されてなるものであり、ネジの挿入端が、ネジ挿通孔周辺部における取付基板上に接触するおそれがなく、部品の損傷が有効に防止できる。また、ネジやドライバービットのガイド孔に対する挿入に際して、テーパ部が形成されているため、ガイド孔に対する挿入案内がより円滑になされる利点もある。さらに、ガイド孔がネジ締め方向に沿って形成されているため、従来のような傾斜状のネジ締めも有効に防止でき、締め付けトルクも安定し、ネジ締め状態の長期信頼性が得られる利点もある。
【００３１】
また、ドライバービットの外周側を囲繞して、非回転状態でドライバーに固定保持されたドライバー筒が備えられ、ガイド孔が、ドライバー筒を嵌合案内すべく、ドライバー筒の外径とほぼ同径の内径に形成されてなる構造とすれば、ガイドプレートのガイド孔側の摩耗も有効に防止でき、ガイドプレートの耐久性向上が図れるという利点もある。
【００３２】
さらに、ネジ締め用ガイドプレートが透明樹脂により形成されてなる構造とすれば、ネジ締め時におけるネジ締め状態を容易に確認できるという利点もある。
【図面の簡単な説明】
【図１】本発明の実施形態を示す分解斜視図である。
【図２】同断面説明図である。
【図３】同断面説明図である。
【図４】従来例を示す斜視図である。
【図５】同要部断面図である。
【図６】同要部断面図である。
【符号の説明】
２０  樹脂成形品
２０ａ  周壁部
２１  ネジ孔
２２  ボス部
２４  ＰＣＢ
２５  ＰＣＢ基板
２５ａ  ネジ挿通孔
２６  電子部品
２７  タッピンネジ
３０  ガイドプレート
３１  ドライバービット
３３  ガイド孔
３３ａ  テーパ部
３５  ドライバー筒
【図１】
0003637772.tif 000002
【図２】
0003637772.tif 000003
【図３】
0003637772.tif 000004
【図４】
0003637772.tif 000005
【図５】
0003637772.tif 000006
【図６】
0003637772.tif 000007